(57)【要約】【課題】データ書換機能を有する自動改札機が盗難にあっても悪用できないようにする。【解決手段】所定の情報記録媒体に対して所定のデータを記憶させることのできるデータ処理部を組込んでその所定の情報記録媒体を用いて所定の処理を行う処理機（自動改札機）と、その処理機の設置位置を検出する位置センサと、その位置センサが前記処理機の設置位置の移動を検出したときに、その処理機に組込まれている前記データ処理部の機能を破壊する破壊手段とを有する。【選択図】      図３
2004287729.tif 000002
【特許請求の範囲】
【請求項１】
所定の情報記録媒体に対して所定のデータを記憶させることのできるデータ処理部を組込んでその所定の情報記録媒体を用いた所定の処理を行う処理機と、
前記処理機の設置位置を検出する位置センサと、
前記位置センサが前記処理機の設置位置の移動を検出したときに、その処理機に組込まれている前記データ処理部の機能を破壊する破壊手段と、
を有することを特徴とする保護装置。
【請求項２】
請求項１に記載の保護装置において、位置センサは、地磁気を検出する磁気センサからなることを特徴とする保護装置。
【請求項３】
請求項１又は２に記載の保護装置において、データ処理部の機能の破壊は、そのデータ処理部のシステムプログラムデータを破壊するものであることを特徴とする保護装置。
【請求項４】
請求項１〜３のいずれかに記載の保護装置において、処理機は、駅務機器であることを特徴とする保護装置。
【発明の詳細な説明】
【０００１】
【発明の属する技術分野】
本発明は、自動改札機や自動券売機等の駅務機器、あるいはカード発行機のような所定の情報記録媒体に対してデータの書込みを行うことのできる処理機を盗難から効率よく保護できるようにした保護装置に関する。
【０００２】
近年、ストアードフェアカード（ＳＦカード）を直接使用して入出場（入場又は出場を意味している。）できる自動改札機の普及が広まるとともに、ＳＦカードも磁気券だけでなく、無線通信機能を備えたＩＣカードからなる非接触券も使用できるようになってきている。したがって、駅に備え付けられる自動改札機や自動券売機等の駅務機器には、これらＳＦカードや非接触券を処理するための制御機器、すなわち、ＳＦカードや非接触券に記録されているカードデータを読取ることができるとともに、新たなカードデータを書込むことのできるデータ処理部が組込まれている（特許文献１，２参照。）。
【０００３】
【特許文献１】特開２００３−６６８４号公報
【特許文献２】特開２００３−５８１８９号公報
【０００４】
【発明が解決しようとする課題】
しかしながら、上記従来の自動改札機等の駅務機器には、ＳＦカードや非接触券を処理できるデータ処理部が組込まれているので、その駅務機器が盗難に合うと、その中に組込まれているデータ処理部を用いてＳＦカードや非接触券のデータが不正に書換えられるおそれがあった。
【０００５】
そこで、本発明は、上記欠点を解決するためになされたものであって、その目的は、データの書換え可能なデータ処理部の組込まれている処理機が盗難に合っても、そのデータ処理部を用いたデータ書換えを不可能として処理機の盗難を未然に防止できるようにした保護装置を提供することにある。
【０００６】
【課題を解決するための手段】
本発明に係る保護装置は、上記目的を達成するために、請求項１に記載の発明は、所定の情報記録媒体に対して所定のデータを記憶させることのできるデータ処理部を組込んでその所定の情報記録媒体を用いた所定の処理を行う処理機と、その処理機の設置位置を検出する位置センサと、その位置センサが前記処理機の設置位置の移動を検出したときに、その処理機に組込まれている前記データ処理部の機能を破壊する破壊手段と、を有することを特徴としている。
本発明の請求項２に記載の保護装置は、位置センサは、地磁気を検出する磁気センサからなることを特徴としている。
本発明の請求項３に記載の保護装置は、データ処理部の機能の破壊は、そのデータ処理部のシステムプログラムデータを破壊するものであることを特徴としている。
本発明の請求項４に記載の保護装置は、処理機は、駅務機器であることを特徴としている。
【０００７】
【発明の実施の形態】
以下、本発明の実施の形態を図面に基づいて説明する。図１は、一実施の形態に係る保護装置を駅務機器の自動改札機に適用したもので、この自動改札機の本体（以下、「改札機本体」という。）Ｇは、一対の筐体から構成され、ここでは、これら筐体のうちの一方の筐体Ｈを改札通路Ｐ側から見たの斜視図として示されている。
【０００８】
図１中、１は、筐体Ｈの改札通路Ｐの通過方向の進入（入口）側に設けられた磁気券からなる乗車券類の投入口、２は、その筐体Ｈの上面で改札通路Ｐの進出（出口）側に設けられた取出口であり、３は、その取出口２の近傍で改札通路Ｐの進出側に設けられた利用者に対して文字により所定の内容を案内するための表示画面である。また、図１中、４は、利用者に対して音声により所定の内容を案内するためのスピーカである。
【０００９】
上記投入口１及び取出口２間の筐体Ｈ内には、図示しないカードハンドラが設けられている。このカードハンドラは、投入口１から投入された乗車券類を取出口２又は筐体Ｈ内に設けられた図示しない集札箱まで搬送させることができるように構成されている。そして、その搬送の途中において、投入口１に投入された乗車券類に記録されているデータを読取り、新たなデータを書込み、必要に応じてパンチや印字を行い、利用者へ返却する必要のある乗車券類を取出口２に排出し、筐体Ｈ内に回収する必要のある乗車券類を集札箱へ集札できるように構成されている。
【００１０】
図１中、ａはアンテナであって、筐体Ｈの投入口１側の上面に設けられていて、図示しない無線通信機能を備えたＩＣカードからなる非接触券と交信できるように構成されている。また、図１中、Ｂはセンサ取付ボックスであって、筐体Ｈの上面で、かつ、改札通路Ｐと反対側に設けられ、その改札通路Ｐに沿って設けられている。このセンサ取付ボックスＢ内には、反射型センサからなる人間検知器Ｓ１  〜Ｓ３  が改札通路Ｐの入口側、中央部及び出口側にそれぞれ内蔵されていて、改札通路Ｐ内の大人の利用者を検知することができるように構成されている。すなわち、この反射型センサからなる人間検知器Ｓ１  〜Ｓ３  は、改札通路Ｐの床面から所定の高さに向けて光線を照射する発光素子と、その照射された光線が物体（利用者）に当たって反射してきた光線（反射光）を受光する受光素子とにより構成されている。さらに、Ｓ１０〜Ｓ１５は、光電素子からなる透過型センサからなる人間検知器であって、一対の筐体Ｈ，Ｈ間の改札通路Ｐ側に所定の間隔を保って設けられていて、改札通路Ｐ内の利用者位置を検知することができるように構成されている。そして、これら透過型センサからなる人間検知器Ｓ１０〜Ｓ１５で検知され、かつ、上述の反射型センサからなる人間検知器Ｓ１  〜Ｓ３  で検知されないときは、その利用者は子供（小児）の利用者と判定される。
【００１１】
図１中、Ｌは、上記センサ取付ボックスＢの改札通路Ｐの出口側に設けられた多色に点灯可能なランプであって、このランプが白色点灯したときは、利用者が子供の利用者であることを示し、赤色点灯したときは、無札者（無効券所持者を含む）が発生したことを係員に報知できるように構成されている。また、図１中、Ｄ１  ，Ｄ２  は、改札通路Ｐを開閉するドアであり、これらドアＤ１  ，Ｄ２  のうち、ドアＤ１  は改札通路Ｐの出口側に設けられ、ドアＤ２  はその入口側に設けられている。そして、これらドアＤ１  ，Ｄ２  は、改札機本体Ｇを統括的に制御する、本発明のデータ処理部に相当する制御器５により駆動されるように構成されている。
【００１２】
図１中、６は、位置センサであり、改札機本体Ｇの設置位置の地磁気により求められる位置信号を検出できるように構成されている。この位置センサ６は、ＭＩ（Ｍａｇｎｅｔｏ  Ｉｍｐｅｄａｎｃｅ  ）センサと呼ばれるもので、高周波交流電流の印加される磁芯に巻回されたアモルファスワイヤの出力電圧が改札機本体Ｇの設置された方向の外部磁界（地磁気）により所定の値を示すことを利用して改札機本体Ｇの移動を検出できるように構成されている。
【００１３】
上記制御器５は、図２に示されるように、フラッシュメモリ１０に記憶されているシステムプログラムデータ及びＲＡＭ１１に記憶されているワーキングデータを用いて所定の入出場の演算処理を行う中央処理部（ＣＰＵ）１２を有している。そして、この制御器５のＣＰＵ１２は、図示しないＩ／Ｏユニットを介して磁気券からなる乗車券類を処理するカードハンドラ１３と、ドアＤ１  ，Ｄ２  を駆動制御するドアドライバ１４と、人間検知装置（Ｓ１  〜Ｓ３  ，Ｓ１０〜Ｓ１５）からの信号を処理する人間検知器ユニット１５と、アンテナａを介して非接触券に記録されているデータを読取るととも、新たなデータを書込むためのリーダライタ１６と、ランプＬを点灯制御するランプドライバ１７と、上記位置センサ６とが接続されている。なお、ＣＰＵ１２には、表示画面３を駆動制御する表示ドライバや係員処理ユニット等の機器も接続されているが、ここでは省略されている。
【００１４】
以下、図３のフローチャートを用いて制御動作について説明する。今、図１において改札機本体Ｇが改札口に新たに設置されたとする（ステップ１００肯定、以下、ステップを「Ｓ」とする。）。そして、係員により運用前の各種のテストが行われた後、改札機本体Ｇの運用（入出場）が開始されると（Ｓ１０２肯定）、位置センサ６から得た所定の情報、すなわち、現在、改札機本体Ｇの設置位置によって特定された所定の位置情報がフラッシュメモリ１０（又はＲＡＭ１１でもよい）に記憶される。
【００１５】
上述の状態で改札機本体Ｇが運用されている場合、その改札機本体Ｇが盗難に合うと、当然にその改札機本体Ｇは移動され、したがって、位置センサ６の出力に変化が現われる（Ｓ１０６肯定）。この位置センサ６に変化が現われたときの信号は、ＣＰＵ１２に取込まれ、設置当初のデータと比較されて改札機本体Ｇが盗難に合ったと判定され、フラッシュメモリ１０に記憶されているシステムプログラムデータがＣＰＵ１２からの所定の信号に基づいて破壊される（Ｓ１０８）。したがって、以後、制御器５による入出場処理は不可能となるだけでなく、磁気券を処理するためのカードハンドラの磁気券処理機能が一切失われ、また、非接触券に対する処理機能が一切失われる。つまり、制御器５が自爆した状態となる。
【００１６】
制御器５の自爆により、改札機本体Ｇに組込まれているカードハンドラ１３を用いてＳＦカードの金額の積増しや新たなＳＦカードの製造は不可能となるとともに、リーダライタ１６を用いて非接触券の金額の積増しや新たなＳＦカードの製造を行うことも不可能となる。したがって、改札機本体Ｇの盗難を行っても意味がないこととなり、改札機本体Ｇの盗難を未然に防止することができる。
【００１７】
図４は、本発明に係る処理機をカード発行機イとしたときの概略構成図である。この図４中、２０ａは、磁気券からなるＳＦカードＣ１  のカードスタッカ、２０ｂは、非接触券Ｃ２  のカードスタッカであり、これらカードスタッカ２０ａ，２０ｂに積層されているカード（Ｃ１  ，Ｃ２  ）は、繰出ローラ２１ａ，２１ｂにより１枚ずつ繰出されるように構成されている。
【００１８】
図４中、Ｈは、カードスタッカ２０ａから繰出されたＳＦカードが搬送路Ｌで移動される途中に所定のカードデータ（金額データ等）を書込むための磁気ヘッドであり、Ａは、カードスタッカ２０ｂから繰出された非接触券Ｃ２  が搬送路Ｌで移動される途中に所定のカードデータ（金額データ等）を非接触で書込むためのアンテナであり、また、Ｔは、それらカード（Ｃ１  ，Ｃ２  ）の券面に所定の内容を印字するサーマルヘッドである。
【００１９】
図４中、２２は、カード発行機イの接客面に設けられた操作部であり、口座釦群や硬貨又は紙幣の投入口が設けられているとともに、表示画面等が設けられている。そして、２３は、カード発行機イを統括的に制御する制御器である。また、２４は、上記改札機本体Ｇに組込まれている位置センサ６と同様の位置センサである。なお、この図４では、ＳＦカードＣ１  又は非接触券Ｃ２  を新たに購入するときに投入された購入金額の金銭、あるいは、これらカード（Ｃ１  ，Ｃ２  ）に金額を積増しするときに投入された金銭を処理するための金銭処理ユニットや係員処理ユニット等は省略されている。
【００２０】
図５は、上記制御器２３の電気的構成を示すブロック図であり、フラッシュメモリ３０に記憶されているシステムプログラムデータ及びＲＡＭ３１に記憶されているワーキングデータを用いて所定の演算処理を行う中央処理部（ＣＰＵ）３２を有している。このＣＰＵ３２は、図示しないＩ／Ｏユニットを介して繰出ローラ２１ａ，２１ｂを駆動してカード（Ｃ１  ，Ｃ２  ）を１枚ずつ搬送路Ｌに繰出すカード繰出ユニット３３と、磁気ヘッドＨを駆動制御してＳＦカードＣ１  に所定のデータを記憶（書込む）させるための磁気券処理ユニット３４と、非接触券Ｃ２  に所定のデータを記憶（書込む）させるための非接触券処理ユニット（リーダライタ）３５と、サーマルヘッドＴを駆動制御する印字処理ユニット３６と、カード発行機イに投入された金銭を検銭し、必要に応じて釣銭を排出する金銭処理ユニット３７と、上記位置センサ２４とが接続されている。
【００２１】
上記構成のカード発行機イが駅の所定位置に新たに設置され、所定のテスト終了後に運用（新規カード（Ｃ１  ，Ｃ２  ）の発行、カード（Ｃ１  ，Ｃ２  ）に対する金額の積増し）が開始されると、位置センサ２４から得た所定の情報、すなわち、現在、カード発行機イの設置位置によって特定された所定の位置情報がフラッシュメモリ３０に記憶される。
【００２２】
上述の状態でカード発行機イが運用されている場合、そのカード発行機イが盗難に合うと、当然にそのカード発行機イは移動され、したがって、位置センサ２４の出力に変化が現われる。この位置センサ２４に変化が現われたときの信号は、ＣＰＵ３２に取込まれ、設置当初のデータと比較されてカード発行機イが盗難に合ったと判定され、フラッシュメモリ３０に記憶されているシステムプログラムデータがＣＰＵ３２からの所定の信号に基づいて破壊される。したがって、以後、制御器２３によるカード発行処理及び金額積増し処理は不可能となるとともに、ＳＦカードＣ１  を処理するためのカード処理ユニット３３の処理機能が一切失われ、また、非接触券Ｃ２  を処理するための非接触券処理ユニット３４の処理機能が一切失われる。つまり、制御器２３が自爆した状態となる。
【００２３】
制御器２３の自爆により、カード発行機イに組込まれているカード処理ユニット３３を用いてＳＦカードの金額の積増しや新たなＳＦカードの製造を行うことができず、また、非接触券処理ユニット（リーダライタ）３４を用いて非接触券の金額の積増しや新たなＳＦカードの製造を行うことができなくなる。したがって、カード発行機イの盗難を行っても意味がないこととなり、カード発行機イの盗難を未然に防止することができる。
【００２４】
なお、上述の例では、処理機として自動改札機とカード発行機の例を示したが、自動精算機や自動券売機、あるいは自動定期券発売機等の他の駅務機器であってもよく、また、情報記録媒体に対してデータの書込みができるデータ処理部を組込んでいる機器であれば、その種類は問わない。
【００２５】
また、位置センサとして地磁気を利用するＭＩセンサを用いたが、処理機が移動されたことを検出できるものであれば他の形式のセンサでもよく、例えば、ＧＰＳを用いたものであってもよい。
【００２６】
【発明の効果】
本発明の請求項１に記載の保護装置は、所定の情報記録媒体に対して所定のデータを記憶させることのできるデータ処理部を組込んでその所定の情報記録媒体を用いた所定の処理を行う処理機と、その処理機の設置位置を検出する位置センサと、その位置センサが前記処理機の設置位置の移動を検出したときに、その処理機に組込まれている前記データ処理部の機能を破壊する破壊手段とを有するので、処理機の盗難を未然に防止することが可能となる。
本発明の請求項２に記載の保護装置は、位置センサは、地磁気を検出する磁気センサからなるので、簡単なセンサで処理機の移動を検出することができる。
本発明の請求項３に記載の保護装置は、データ処理部の機能の破壊は、そのデータ処理部のシステムプログラムデータを破壊するので、機能破壊を容易に行うことができる。
本発明の請求項４に記載の保護装置は、処理機を駅務機器としたので、駅務機器の盗難を効果的に防止することができる。
【図面の簡単な説明】
【図１】本発明の一実施の形態に係る保護装置を自動改札機に適用したときの一対の筐体のうちの一方の筐体の斜視図である。
【図２】制御器のブロック図である。
【図３】制御動作を示すフローチャートである。
【図４】本発明の一実施の形態に係る保護装置をカード発行機に適用したときの概略構成図である。
【図５】制御器のブロック図である。
【符号の説明】
Ｇ  自動改札機の本体（改札機本体）
Ｈ  筐体
Ｄ１  ，Ｄ２    ドア
Ｐ  改札通路
Ｂ  センサ取付ボックス
Ｓ１  〜Ｓ３  ，Ｓ１０〜Ｓ１５  人間検知器
１  投入口
２  取出口
５  制御器
６  位置センサ
ａ  アンテナ
Ｌ  ランプ
イ  カード発行機
Ｃ１    ＳＦカード
Ｃ２    非接触券
Ｈ  磁気ヘッド
Ａ  アンテナ
Ｔ  サーマルヘッド
２０ａ，２０ｂ  カードスタッカ
２３  制御器
２４  位置センサ
【図１】
2004287729.tif 000003
【図２】
2004287729.tif 000004
【図３】
2004287729.tif 000005
【図４】
2004287729.tif 000006
【図５】
2004287729.tif 000007